(57)【特許請求の範囲】
【請求項１】
扉を支持する建物側躯体に設けられるストライク板と、
前記扉に設けられ操作力が入力される操作部材と、
前記扉に設けられる錠箱と、
操作力によって作動した前記操作部材からの出力によって錠箱内で従動するプランジャーと、
前記錠箱に設けられ前記ストライク板に係止可能に前記扉から進退自在となり且つ扉回転中心に直交する面上で回転して反転自在となる反転ラッチと、
前記プランジャーと前記反転ラッチとの間に設けられ前記プランジャーに従動して前記反転ラッチを回転させ前記ストライク板の穴縁部を作用点としてこじるラッチ強制揺動部と、  
を具備することを特徴とする開力軽減錠。
【請求項２】
請求項１記載の開力軽減錠であって、
前記ラッチ強制揺動部が、前記プランジャーに従動して前記反転ラッチをすくい上げるようにして回転させることを特徴とする開力軽減錠。
【請求項３】
請求項２記載の開力軽減錠であって、
前記ラッチ強制揺動部は、
先端に押上傾斜面を有し後端が前記プランジャーに軸連結されて揺動自在となり押上板用バネによって前記プランジャーの移動方向と平行な姿勢に付勢される押上板と、
側面に突設されたガイド片が前記錠箱のガイドスリットに案内されてスライド自在となり前記反転ラッチの隣接斜面に受け先端面が当接してラッチバネにて前記反転ラッチの向きを選択的に変えるラッチ受けと、
前記錠箱にストッパ基端が軸支され前記プランジャーの移動の際に丸凸部が当接してストッパ基端を中心に揺動し前記反転ラッチの揺動を規制しながら進退方向のスライドを支持する先端規制爪を有するとともに前記押上板を斜めに揺動して後退位置に保持する押上板保持片を有するラッチストッパと、
前記錠箱の内方に固定され前記ラッチストッパの先端規制爪が貫通するスリットを有し前記ラッチバネ及びプランジャーバネを支える支持枠と、
ラッチ側面に形成され間に前記ラッチストッパの先端規制爪が配置されることで前記反転ラッチを真っ直ぐにスライドさせるガイド突条及びガイド突起と、
を具備することを特徴とする開力軽減錠。
【請求項４】
請求項１記載の開力軽減錠であって、
前記ラッチ強制揺動部が、前記プランジャーに従動して前記反転ラッチをリンクによって回転させることを特徴とする開力軽減錠。
【請求項５】
請求項４記載の開力軽減錠であって、
ラッチ強制揺動部は、
前記反転ラッチを反転用軸によって揺動自在に支持するスライダと、
前記錠箱に固定され前記スライダを前記反転ラッチが進退する方向にスライド支持するスライダ支持枠と、
先端に前記スライダの後退を規制するスライダ規制片を有し前記錠箱に軸支され前記プランジャーの移動の際に後端の丸凸部が当接して揺動するラッチストッパと、
てこ杆揺動軸によって前記錠箱に揺動自在に軸支され、てこ一端が前記プランジャーに係合するてこ杆と、
Ｌ型穴を有し前記てこ杆のてこ他端にスライド長穴を連結することで前記プランジャーの動きと逆向きに動き前記Ｌ型穴を前記反転ラッチに設けられるラッチ揺動軸に係合するガイド杆と、
を具備することを特徴とする開力軽減錠。
【発明の詳細な説明】
【技術分野】
【０００１】
本発明は、例えばマンションなどの玄関や気密化される部屋の扉に設けられ、部屋内外に生じた圧力差、すなわち気圧差等に抗して扉の開動を助勢する開力軽減錠に関する。
【背景技術】
【０００２】
マンションなどの住居においては、近年では高気密化されていることから、居室内の換気扇などの運転により、室外に比べ室内の気圧が低下し、すなわち室内外で気圧差が生じてしまい、玄関ドアの開放時に大きな力が必要となることがある。このような場合、特に高齢者や子供などは、ドアの開放が困難となる場合がある。
【０００３】
従来、上記のような不具合を解消するために、種々の機構が案出されている。例えば、以下に示す特許文献１や特許文献２では、ハンドル裏面に突出するレバーや、ハンドル軸から突出するこじ開け杆などを設けている。これらは、室内外の気圧差で扉の開放が困難となった場合、レバーをハンドルとともに握り、突出杆を建物側の当接部に当接して扉自体を開放方向に移動させたり、こじ開け杆を建物側反力部材の傾斜面に当接し、こじ開け杆に反力部材から反力を生じさせて扉自体を開放方向に移動させたりする。これにより、扉と建物側躯体の枠体等との間をこじ開けるようになり、扉と建物側枠体等との間に隙間を生じさせ、室内外の気圧差を解消させている。
【先行技術文献】
【特許文献】
【０００４】
【特許文献１】特許第４０３４２１６号公報
【特許文献２】特開２００５−１２７０４４号公報
【発明の概要】
【発明が解決しようとする課題】
【０００５】
しかしながら、ハンドルと別体にレバーを設ける機構は、部品点数が多くなり、レバーが表出するため見栄えも悪く、扉の開放時、レバー操作も必要となるなど操作性もよくなかった。また、反力部材をこじ開け杆でこじる機構は、開扉時に、こじ開け杆を通過させるための切欠部をストライク板及び建物側の枠体等に形成しなければならず、見栄えが低下し、さらに防犯性が低下する。また、この切欠部に子供が手指を差し入れる指挟みの虞もある。さらに、こじ開けのみのためのこじ開け杆を別途設ける必要があり、錠箱が大きくなる不利がある。
【０００６】
本発明は上記状況に鑑みてなされたもので、その目的は、建物側躯体の切欠部を廃止して、見栄え、防犯性を向上させることを可能とするとともに、指挟み事故も防止でき、しかも、別体構成とされた専用のこじ開けラッチも廃止できる開力軽減錠を提供することにある。
【課題を解決するための手段】
【０００７】
次に、上記の課題を解決するための手段を、実施の形態に対応する図面を参照して説明する。
本発明の請求項１記載の開力軽減錠は、扉１３を支持する建物側躯体１５に設けられるストライク板２７と、
前記扉１３に設けられ開扉時の操作力が入力される操作部材３７と、
前記扉１３に設けられる錠箱１７と、
操作力によって作動した前記操作部材３７からの出力によって錠箱内で従動するプランジャーと、
前記錠箱１７に設けられ前記ストライク板２７に係止可能に前記扉１３から進退自在となり且つ扉回転中心に直交する面上で回転して反転自在となる反転ラッチと、
前記プランジャーと前記反転ラッチとの間に設けられ前記プランジャーに従動して前記反転ラッチを回転させ前記ストライク板２７の穴縁部５９を作用点６１としてこじるラッチ強制揺動部と、
を具備することを特徴とする。
【０００８】
この開力軽減錠では、閉扉状態において、操作部材３７が開扉操作されると、プランジャーが従動する。従動したプランジャーは、ラッチ強制揺動部５７を作動させる。ラッチ強制揺動部が作動すると、反転ラッチが進出状態で回転され、回転した反転ラッチは、ストライク板２７の穴縁部５９を作用点６１として扉１３をこじ開ける。このこじ開けによって扉１３と建物側躯体１５との間に隙間が生じ、例えば室内が負圧である場合の気圧差が解消され、容易な開扉が可能となる。気圧差解消後の開扉に際しては、反転ラッチが後退し、反転ラッチは、切欠部の必要なくストライク板２７を乗り越える。
【０００９】
本発明の請求項２記載の開力軽減錠は、請求項１記載の開力軽減錠１１であって、
前記ラッチ強制揺動部５７が、前記プランジャー４７に従動して前記反転ラッチ３１をすくい上げるようにして回転させることを特徴とする。
【００１０】
この開力軽減錠では、閉扉状態において、操作部材３７が操作され、プランジャー４７が従動されると、ラッチ強制揺動部５７が作動される。作動したラッチ強制揺動部５７は、反転ラッチ３１と錠箱１７との間に構成部材が挟入され、楔作用によって反転ラッチ３１がすくい上げられるように回転される。この回転力が、反転ラッチ３１のこじ開け駆動力となる。反転ラッチ３１は、こじ開け駆動されると、ストライク板２７の穴縁部５９を作用点６１で押圧し、その反力によって扉１３がこじ開けられる。
【００１１】
本発明の請求項３記載の開力軽減錠は、請求項２記載の開力軽減錠１１であって、
前記ラッチ強制揺動部５７は、
先端に押上傾斜面７３を有し後端が前記プランジャー４７に軸連結されて揺動自在となり押上板用バネ７７によって前記プランジャー４７の移動方向と平行な姿勢に付勢される押上板６３と、
側面に突設されたガイド片８３が前記錠箱１７のガイドスリット８５に案内されてスライド自在となり前記反転ラッチ３１の隣接斜面５５に受け先端面８７が当接してラッチバネ８９にて前記反転ラッチ３１の向きを選択的に変えるラッチ受け６５と、
前記錠箱１７にストッパ基端が軸支され前記プランジャー４７の移動の際に丸凸部９３が当接してストッパ基端を中心に揺動し前記反転ラッチ３１の揺動を規制しながら進退方向のスライドを支持する先端規制爪９５を有するとともに前記押上板６３を斜めに揺動して後退位置に保持する押上板保持片９７を有するラッチストッパ６７と、
前記錠箱１７の内方に固定され前記ラッチストッパ６７の先端規制爪９５が貫通するスリット１０１を有し前記ラッチバネ８９及びプランジャーバネ１０３を支える支持枠６９と、
ラッチ側面に形成され間に前記ラッチストッパ６７の先端規制爪９５が配置されることで前記反転ラッチ３１を進退方向となる真直にスライドさせるガイド突条１０５及びガイド突起７１と、
を具備することを特徴とする。
【００１２】
この開力軽減錠では、閉扉状態において、操作部材３７が操作され、プランジャー４７が従動されると、ラッチ強制揺動部５７が作動される。作動したラッチ強制揺動部５７は、押上板６３が反転ラッチ３１に向かってスライドされる。プランジャー４７が丸凸部９３を押圧することで、ラッチストッパ６７が揺動され、反転ラッチ３１の揺動規制を解除する。さらに操作部材３７が操作されると、プランジャー４７が進み、押上板６３の押上傾斜面７３が反転ラッチ３１の後端側をすくい上げ、反転ラッチ３１を揺動させる。揺動する反転ラッチ３１は、ストライク板２７の穴縁部５９を作用点６１でこじる。こじ開けが完了し、扉１３がさらに開かれると、反転ラッチ３１は穴縁部５９に当たり、反力を受けて錠箱１７へ後退する。扉１３がストライク板２７から離脱すると、反転ラッチ３１は、ラッチバネ８９によって再び突出される。開扉状態からの閉扉において、反転ラッチ３１がストライク板２７に当たると、閉扉に伴って反転ラッチ３１が回転される。さらに閉扉されると、反転ラッチ３１は、錠箱１７の内方へ後退する。この際、押上板６３は、ラッチストッパ６７の押上板保持片９７によって斜めに揺動して後退位置に保持され、反転ラッチ３１の後退を許容する。扉１３が完全閉止されると、反転ラッチ３１がラッチバネ８９によってストライク板２７に突出される。
【００１３】
本発明の請求項４記載の開力軽減錠は、請求項１記載の開力軽減錠１１３であって、
前記ラッチ強制揺動部１１９が、前記プランジャー１１５に従動して前記反転ラッチ１１７をリンク１２３によって回転させることを特徴とする。
【００１４】
この開力軽減錠では、閉扉状態において、操作部材３７が操作され、プランジャー１１５が従動されると、ラッチ強制揺動部１１９が作動される。作動したラッチ強制揺動部１１９は、リンク１２３を作動させ、リンク１２３の出力端に連結される反転ラッチ１１７を回転する。この回転力が、反転ラッチ１１７のこじ開け駆動力となる。反転ラッチ１１７は、こじ開け駆動されると、ストライク板２７の穴縁部５９を作用点６１で押圧し、その反力によって扉１３がこじ開けられる。
【００１５】
本発明の請求項５記載の開力軽減錠は、請求項４記載の開力軽減錠１１３であって、
ラッチ強制揺動部１１９は、
前記反転ラッチ１１７を反転用軸１３３によって揺動自在に支持するスライダ１２９と、
前記錠箱１７に固定され前記スライダ１２９を前記反転ラッチ１１７が進退する方向にスライド支持するスライダ支持枠１３１と、
先端に前記スライダ１２９の後退を規制するスライダ規制片１３５を有し前記錠箱１７に軸支され前記プランジャー１１５の移動の際に後端の丸凸部９３が当接して揺動するラッチストッパ１２１と、
てこ杆揺動軸１４９によって前記錠箱１７に揺動自在に軸支され、てこ一端１５１が前記プランジャー１１５に係合するてこ杆１２５と、
Ｌ型穴１５５を有し前記てこ杆１２５のてこ他端１４３にスライド長穴１４１を連結することで前記プランジャー１１５の動きと逆向きに動き前記Ｌ型穴１５５を前記反転ラッチ１１７に設けられるラッチ揺動軸１５７に係合するガイド杆１２７と、
を具備することを特徴とする。
【００１６】
この開力軽減錠では、閉扉状態において、操作部材３７が操作され、プランジャー１１５が従動されると、ラッチ強制揺動部１１９が作動される。作動したラッチ強制揺動部１１９は、てこ杆１２５のてこ一端１５１がプランジャー１１５によって押圧され、てこ他端１４３がガイド杆１２７を引っ張る。ガイド杆１２７が引っ張られると、ラッチストッパ１２１がスライダ１２９に係止することでスライド規制された反転ラッチ１１７は、ガイド杆１２７のＬ型穴１５５によってラッチ揺動軸１５７が引っ張られる。反転ラッチ１１７は、ラッチ揺動軸１５７が引っ張られることにより、反転用軸１３３を中心に揺動される。揺動する反転ラッチ１１７は、ストライク板２７の穴縁部５９を作用点６１でこじる。こじ開けが完了し、扉１３がさらに開かれると、反転ラッチ１１７は穴縁部５９に当たり、反力を受けて錠箱１７へ後退する。この際、ラッチストッパ１２１は、スライダ１２９へのスライド規制を解除している。扉１３がストライク板２７から離脱すると、反転ラッチ１１７は、ラッチバネ８９によって再び突出される。開扉状態からの閉扉において、反転ラッチ１１７がストライク板２７に当たると、反転ラッチ１１７は、ラッチ揺動軸１５７がＬ型穴１５５を移動することで回転される。さらに閉扉されると、反転ラッチ１１７は、錠箱１７の内方へ後退する。この際、スライダ１２９は、ラッチストッパ１２１によって後退が規制され、反転ラッチ１１７は、ラッチバネ８９を圧縮しながらガイド杆１２７を押圧して後退する。扉１３が完全閉止されると、反転ラッチ１１７がラッチバネ８９によってストライク板２７に突出される。
【発明の効果】
【００１７】
本発明に係る請求項１記載の開力軽減錠によれば、従来、建物側躯体に設けなければならなかったこじ開け杆のための切欠部を廃止でき、建物側躯体の見栄えを向上でき、防犯性を向上させることができる。また、切欠部が無いことで指挟み事故も防止できる。反転ラッチがこじ開け機能を有するので、従来の専用のこじ開けラッチも廃止でき、これにより錠箱を小型化することが可能となる。
【００１８】
本発明に係る請求項２記載の開力軽減錠によれば、操作部材に従動するプランジャーによって、ラッチ強制揺動部が反転ラッチと錠箱との間に挟入され、反転ラッチがすくい上げられるようにして回転される。これにより、挟入距離を直接的に反転ラッチの回転量に変換でき、反転ラッチを確実に、且つ短いプランジャーのストロークでこじ開け駆動できる。
【００１９】
本発明に係る請求項３記載の開力軽減錠によれば、こじ開け方向に反転ラッチを回転させる押上板が、ラッチストッパによって後退位置に保持される。これにより、反転ラッチをストライク板に干渉させずに開扉でき、建物側躯体の切欠部を廃止できる。
【００２０】
本発明に係る請求項４記載の開力軽減錠によれば、ラッチ強制揺動部がプランジャーと反転ラッチとを連結するリンクによって構成され、プランジャーの動きにリンクが作動して反転ラッチが反転される。これにより、操作力を信頼性の高い伝達機構でこじ開け駆動力に変換できる。
【００２１】
本発明に係る請求項５記載の開力軽減錠によれば、ラッチ強制揺動部を構成するガイド杆のＬ型穴によって反転された反転ラッチが、スライダに支持されて後退する。これにより、反転ラッチをストライク板に干渉させずに開扉でき、建物側躯体の切欠部を廃止できる。
【図面の簡単な説明】
【００２２】
【図１】本発明に係る第１実施形態の開力軽減錠を備えた扉及び建物側躯体の平断面図である。
【図２】図１に示した開力軽減錠の主要部材の分解斜視図を（ａ）に、プランジャーの斜視図を（ｂ）に示した図である。
【図３】図１に示した閉扉状態の開力軽減錠の正面図である。
【図４】図３の平断面図である。
【図５】（ａ）は開力軽減錠の閉扉からの動き始め状態を表す正面図、（ｂ）は（ａ）の平断面図である。
【図６】（ａ）は反転ラッチの反転規制が解除された開力軽減錠の正面図、（ｂ）は（ａ）の平断面図である。
【図７】（ａ）は穴縁部に反転ラッチが当たりこじり始められる状態の正面図、（ｂ）は（ａ）の平断面図である。
【図８】（ａ）はこじり開け完了状態の開力軽減錠の正面図、（ｂ）は（ａ）の平断面図である。
【図９】（ａ）は開扉動作による反転ラッチの後退した開力軽減錠の正面図、（ｂ）は（ａ）の平断面図である。
【図１０】（ａ）は開扉状態の開力軽減錠の正面図、（ｂ）は（ａ）の平断面図である。
【図１１】開力軽減錠の閉扉開始状態の平断面図である。
【図１２】閉扉時に反転ラッチがストライク板に当たって反転している開力軽減錠の平断面図である。
【図１３】（ａ）は閉扉時に反転ラッチが後退途中の開力軽減錠の正面図、（ｂ）は（ａ）の平断面図である。
【図１４】（ａ）は反転ラッチが後退した全閉直前の開力軽減錠の正面図、（ｂ）は（ａ）の平断面図である。
【図１５】第２実施形態に係る開力軽減錠の主要部材の分解斜視図である。
【図１６】第２実施形態に係る閉扉状態の開力軽減錠の正面図である。
【図１７】図１６の平断面図である。
【図１８】（ａ）は開力軽減錠の閉扉からの動き始め状態を表す正面図、（ｂ）は（ａ）の平断面図である。
【図１９】（ａ）は穴縁部に反転ラッチが当たりこじり始められる状態の正面図、（ｂ）は（ａ）の平断面図である。
【図２０】（ａ）はこじり開け完了状態の開力軽減錠の正面図、（ｂ）は（ａ）の平断面図である。
【図２１】（ａ）は開扉動作による反転ラッチの後退した開力軽減錠の正面図、（ｂ）は（ａ）の平断面図である。
【図２２】（ａ）は開扉途中の開力軽減錠の正面図、（ｂ）は（ａ）の平断面図である。
【図２３】（ａ）は開扉状態の開力軽減錠の正面図、（ｂ）は（ａ）の平断面図である。
【図２４】（ａ）は閉扉時に反転ラッチがストライク板に当たって反転している開力軽減錠の正面図、（ｂ）は（ａ）の平断面図である。
【図２５】（ａ）は閉扉時に反転ラッチが後退途中の開力軽減錠の正面図、（ｂ）は（ａ）の平断面図である。
【発明を実施するための形態】
【００２３】
以下、本発明に係る実施形態を図面を参照して説明する。
図１は本発明に係る第１実施形態の開力軽減錠を備えた扉及び建物側躯体の平断面図、図２は図１に示した開力軽減錠の主要部材の分解斜視図、図３は図１に示した閉扉状態の開力軽減錠の正面図、図４は図３の平断面図である。
開力軽減錠１１は、例えば玄関用の扉１３に適用される。この玄関部分における出入口開口部には建物側躯体を構成する枠１５が設けられ、枠１５は扉１３の吊元を回動自在に支持する。枠１５には図示しない戸当りが形成され、戸当りは扉１３との隙間をシールする図示しないガスケットを備えている。扉１３が室外の方向に開動する扉１３であれば、室内側が負圧となることで、扉１３はガスケットに押付けられることとなる。
【００２４】
扉１３には吊元と反対側の扉開閉端に開力軽減錠１１の構成部材である錠箱１７が内蔵されている。錠箱１７には扉１３の室外側の面に鍵孔を表出させるシリンダ錠が設けられる。なお、本発明に係る開力軽減錠は、室内扉に設けられるものであってもよく、その場合にはシリンダ錠が不用となる構成もある。
【００２５】
錠箱１７は矩形箱状に形成され、前端面に図３に示す取付板１９をリベット２１などの固定部材によって固定している。錠箱１７は扉１３に内蔵され、扉開閉端の木口２３に、取付板１９がフロント板２５に覆われてビス２９で固定される。
【００２６】
一方、枠１５にはストライク板２７が固定部材によって取付けられる。ストライク板２７には反転ラッチ３１が進入する係合穴３３が設けられる。従来機構で必要であった反力部材や扉開放方向の切欠部は不要となっている。なお、本明細書中では、反転ラッチ３１の進出方向を前、反転ラッチ３１の後退方向を後とする。
【００２７】
扉１３の室内側、室外側には図１に示す操作部材３７が設けられている。操作部材３７は、操作杆３９がアーム４１によって台座４３に支持される。アーム４１には操作力出力片４５が連結され、操作力出力片４５は錠箱１７に突出している。操作部材３７は、操作杆３９が操作されると、操作力出力片４５が作動し、図３に示すプランジャー４７に操作力を伝達する。すなわち、プランジャー４７は、操作力によって作動した操作部材３７からの出力によって錠箱内で従動する。プランジャー４７にはガイド長穴４９が形成され、ガイド長穴４９は錠箱１７に固定されるガイド軸５１によって前後方向にガイドされる。本構成では、操作力出力片４５は、プランジャー４７を反転ラッチ３１の方向へ押圧する。この操作部材３７としては、レバーハンドル、ノブ、プッシュプルハンドルなどが挙げられる。
【００２８】
錠箱１７には反転ラッチ３１がフロント板２５から突出して設けられる。反転ラッチ３１は、側面形状が略平行四辺形をなし、扉１３と枠１５との相対運動を利用して倒されるとともに、全体が錠箱１７に引込められる。すなわち、反転ラッチ３１は、ストライク板２７に係止可能に扉１３から進退自在となり、且つ扉回転中心に直交する面（図１の紙面）上で回転して反転自在となる。反転ラッチ３１の基端側には図２に示すラッチ後部溝５３が形成され、ラッチ後部溝５３の底には図４に示す隣接斜面５５が形成される。この隣接斜面５５は、反転ラッチ３１の反転向き（傾斜向き）を決める。
【００２９】
プランジャー４７とこの反転ラッチ３１との間には図２に示すラッチ強制揺動部５７が設けられる。ラッチ強制揺動部５７は、プランジャー４７に従動して反転ラッチ３１を回転させ、ストライク板２７の穴縁部５９を作用点６１（図７参照）としてこじる。
【００３０】
本実施形態において、ラッチ強制揺動部５７は、プランジャー４７に従動して反転ラッチ３１をすくい上げるようにして回転させる。すなわち、閉扉状態において、操作部材３７が操作され、プランジャー４７が従動されると、ラッチ強制揺動部５７が作動される。作動したラッチ強制揺動部５７は、反転ラッチ３１と錠箱１７との間に構成部材である後述の図２に示す押上板６３が挟入され、楔作用によって反転ラッチ３１がすくい上げられるように回転される。この回転力が、反転ラッチ３１のこじ開け駆動力となる。反転ラッチ３１は、こじ開け駆動されると、ストライク板２７の穴縁部５９を作用点６１で押圧し、その反力によって扉１３がこじ開けられ、開扉となる。
【００３１】
開力軽減錠１１は、操作部材３７に従動するプランジャー４７によって、ラッチ強制揺動部５７が反転ラッチ３１と錠箱１７との間に挟入され、反転ラッチ３１がすくい上げられるようにして回転される。これにより、挟入距離を直接的に反転ラッチ３１の回転量に変換でき、反転ラッチ３１を確実に、且つ短いプランジャー４７のストロークでこじ開け駆動できる。
【００３２】
ここで、ラッチ強制揺動部５７についてさらに説明する。
ラッチ強制揺動部５７は、押上板６３と、ラッチ受け６５と、ラッチストッパ６７と、支持枠６９と、を有する。
【００３３】
押上板６３は、先端に一対の押上傾斜面７３を有する。この押上傾斜面７３によって反転ラッチ３１をすくい上げるように揺動する。押上板６３は、後端がプランジャー４７に押上軸７５によって軸連結されて揺動自在となる。押上板６３は、押上板用バネ７７によってプランジャー４７の移動方向と平行な姿勢に付勢される。押上板用バネ７７は、図２（ｂ）に示すプランジャー４７の正面に形成されるバネ収容スペース７９に収容される。この押上板用バネ７７は、後述のラッチストッパバネ８１よりもバネ力が弱く設定される。
【００３４】
ラッチ受け６５は、側面に突設されたガイド片８３が錠箱１７のガイドスリット８５に案内されてスライド自在となる。ラッチ受け６５は、反転ラッチ３１の隣接斜面５５に受け先端面８７が当接してラッチバネ８９にて反転ラッチ３１の向きを選択的に変える。ラッチ受け６５は、ラッチバネ８９によって反転ラッチ３１を突出方向へ付勢する。
【００３５】
ラッチストッパ６７は、錠箱１７にストッパ基端が図３に示すストッパ軸９１によって一対のものが軸支される。それぞれのラッチストッパ６７は、ラッチストッパバネ８１によって揺動先端が互いに接近する方向に付勢される。ラッチストッパ６７は、プランジャー４７の移動の際に、後方内側に形成された丸凸部９３がプランジャー４７の先端側に当接してストッパ基端を中心に揺動する。つまり、一対のラッチストッパ６７が開く。ラッチストッパ６７は、反転ラッチ３１の揺動を規制しながら、反転ラッチ３１の進退方向のスライドを支持する先端規制爪９５を有する。同時にこの先端規制爪９５は、反転ラッチ３１の揺動を規制する。また、ラッチストッパ６７は、押上板６３を斜めに揺動して後退位置に保持する押上板保持片９７を有する。
【００３６】
支持枠６９は、錠箱１７の内方に固定され、ラッチストッパ６７の先端規制爪９５が貫通するスリット１０１を有する。ラッチストッパ６７は、このスリット１０１から先端規制爪９５を内方へ突出させ、反転ラッチ３１の揺動を規制する。また、支持枠６９は、ラッチバネ８９及びプランジャーバネ１０３を支える。
【００３７】
ガイド突条１０５及びガイド突起７１は、ラッチ側面に形成され間にラッチストッパ６７の先端規制爪９５が配置されることで反転ラッチ３１を真直な進退方向にスライドさせる。反転ラッチ３１後端側のガイド突条１０５の外側面に、押上板６３の押上傾斜面７３が当たる。反転ラッチ３１にはガイド突条１０５の前方に逃げスペース１０７が形成され、逃げスペース１０７には押上板６３の先端側が侵入可能となる。この逃げスペース１０７を設けることで、反転ラッチ３１が後退する際や、押上板６３が前進する際のガイド突条１０５と押上傾斜面７３との干渉が回避される。
【００３８】
次に、上記構成を有する開力軽減錠１１の作用を説明する。
図５（ａ）は開力軽減錠１１の閉扉からの動き始め状態を表す正面図、（ｂ）は（ａ）の平断面図である。
閉扉状態において、押上板６３は、ラッチストッパ６７の押上板保持片９７で斜めの状態に上げられている。操作部材３７が操作され、プランジャー４７が従動されると、ラッチ強制揺動部５７が作動される。
【００３９】
図６（ａ）は反転ラッチ３１の反転規制が解除された開力軽減錠１１の正面図、（ｂ）は（ａ）の平断面図である。
作動したラッチ強制揺動部５７は、押上板６３が反転ラッチ３１に向かってスライドされる。プランジャー４７が丸凸部９３を押圧することで、ラッチストッパ６７が揺動され（約３度の角度で揺動）、反転ラッチ３１の揺動規制を解除する。ラッチストッパ６７の先端規制爪９５が外れ、押上板６３が押上板用バネ７７のテンションで倒れる。
【００４０】
図７（ａ）は穴縁部５９に反転ラッチ３１が当たりこじり始められる状態の正面図、（ｂ）は（ａ）の平断面図である。
さらに操作部材３７が操作されると、操作力出力片４５を介してプランジャー４７が進み、押上板６３の押上傾斜面７３が反転ラッチ３１をすくい上げ、反転ラッチ３１を揺動させる。揺動する反転ラッチ３１は、ストライク板２７の穴縁部５９を作用点６１でこじる。
【００４１】
図８（ａ）はこじり開け完了状態の開力軽減錠１１の正面図、（ｂ）は（ａ）の平断面図である。
こじりが終了すると、こじり開寸法Ｓが形成される。扉１３と枠１５との間に隙間が生じ、例えば室外方向に開扉する扉１３において、室内が負圧であっても、室内の負圧がなくなる。これにより、室内が負圧となって開動に大きな力が必要となっていた扉１３であっても、容易な開動が可能となる。
【００４２】
図９（ａ）は開扉動作による反転ラッチ３１の後退した開力軽減錠１１の正面図、（ｂ）は（ａ）の平断面図である。
こじ開けが完了し、扉１３がさらに開かれると、反転ラッチ３１は穴縁部５９に当たり、反力を受けて錠箱１７へ後退する。反転ラッチ３１が倒れきったときにできる逃げスペース１０７に押上板６３の押上傾斜面７３が入り込むため、反転ラッチ３１の後退に支障なく反転ラッチ３１を引っ込めることができる。
これにより、反転ラッチ３１をストライク板２７に干渉させずに開扉でき、すなわちストライク板２７には切欠部を廃止できる。
【００４３】
図１０（ａ）は開扉状態の開力軽減錠１１の正面図、（ｂ）は（ａ）の平断面図である。
扉１３がさらに開放しストライク板２７から離脱すると、反転ラッチ３１は、ラッチバネ８９によって再び突出される。
【００４４】
図１１は開力軽減錠１１の閉扉開始状態の平断面図である。
閉扉開始状態において、押上板６３は、向きの変わった反転ラッチ３１に当接状態であり、ラッチストッパ６７の押上板保持片９７による傾斜状態の保持が行われない。
【００４５】
図１２は閉扉時に反転ラッチ３１がストライク板２７に当たって反転している開力軽減錠１１の平断面図である。
開扉状態からの閉扉において、反転ラッチ３１がストライク板２７に当たると、閉扉に伴って反転ラッチ３１が回転される。すなわち、反転ラッチ３１が閉扉を妨げることはない。また、このときに、押上板６３との当接状態が解消となる。
【００４６】
図１３（ａ）は閉扉時に反転ラッチ３１が後退途中の開力軽減錠１１の正面図、（ｂ）は（ａ）の平断面図である。
さらに閉扉されると、反転ラッチ３１は、閉時傾斜面１０９がストライク板２７の外縁部１１１に当接し、外縁部１１１から反力を受けて錠箱１７の内方へ後退を開始する。こじ開け方向に反転ラッチ３１を回転させた押上板６３が、ラッチストッパ６７によって後退位置に保持される。
【００４７】
図１４（ａ）は反転ラッチ３１が後退した全閉直前の開力軽減錠１１の正面図、（ｂ）は（ａ）の平断面図である。
反転ラッチ３１は、ガイド突起７１とガイド突条１０５との間にラッチストッパ６７の先端規制爪９５が侵入して後退がガイドされる。この際、押上板６３は、ラッチストッパ６７の押上板保持片９７によって斜めに揺動して後退位置に保持され、反転ラッチ３１の後退を許容する。
【００４８】
扉１３が完全閉止されると、反転ラッチ３１がラッチバネ８９によってストライク板２７に突出され、図４に示した閉扉状態に戻る。
【００４９】
次に、第２実施形態に係る開力軽減錠１１３を説明する。
図１５は第２実施形態に係る開力軽減錠１１３の主要部材の分解斜視図、図１６は第２実施形態に係る閉扉状態の開力軽減錠１１３の正面図、図１７は図１６の平断面図である。なお、図１〜図１４に示した部材・部位と同一の部材・部位には同一の符号を付し重複する説明は省略する。
本実施形態に係る開力軽減錠１１３は、プランジャー１１５、反転ラッチ１１７、ラッチ強制揺動部１１９、ラッチストッパ１２１が、上記の開力軽減錠１１と異なる。
【００５０】
ラッチ強制揺動部１１９は、プランジャー１１５に従動して反転ラッチ１１７をリンク１２３によって回転させる。リンク１２３は、プランジャー１１５と反転ラッチ１１７との間に設けられ、これらを連結するてこ杆１２５と、ガイド杆１２７と、からなる。
【００５１】
開力軽減錠１１３は、閉扉状態において、操作部材３７が操作され、操作力出力片４５を介し、プランジャー１１５が従動されると、ラッチ強制揺動部１１９が作動される。作動したラッチ強制揺動部１１９は、リンク１２３を作動させ、リンク１２３の出力端に連結される反転ラッチ１１７を進出状態で回転する。この回転力が、反転ラッチ１１７のこじ開け駆動力となる。反転ラッチ１１７は、こじ開け駆動されると、ストライク板２７の穴縁部５９を作用点６１（図１９参照）で押圧し、その反力によって扉１３がこじ開けられる。
【００５２】
開力軽減錠１１３では、ラッチ強制揺動部１１９がプランジャー１１５と反転ラッチ１１７とを連結するリンク１２３によって構成され、プランジャー１１５の動きにリンク１２３が作動して反転ラッチ１１７が反転される。これにより、操作力を信頼性の高い伝達機構でこじ開け駆動力に変換できる。
【００５３】
ここで、ラッチ強制揺動部１１９についてさらに説明する。
ラッチ強制揺動部１１９は、スライダ１２９と、スライダ支持枠１３１と、ラッチストッパ１２１と、てこ杆１２５と、ガイド杆１２７と、を有する。スライダ１２９は、反転ラッチ１１７を反転用軸１３３によって揺動自在に支持する。
【００５４】
スライダ支持枠１３１は、錠箱１７に固定され、スライダ１２９を反転ラッチ１１７が進退する方向にスライド支持する。スライダ支持枠１３１にはスリット１０１が形成され、スリット１０１はラッチストッパ１２１の後述するスライダ規制片１３５を貫通させる。スライダ支持枠１３１にはガイド杆１２７の短冊板１３７を貫通支持する支持穴１３９が形成される。短冊板１３７にはガイド杆１２７のスライド方向に長いスライド長穴１４１が形成される。スライド長穴１４１は、てこ他端１４３の他端側起立ピン１４５に係合する。短冊板１３７にはラッチバネ８９が外挿される。また、スライダ支持枠１３１とプランジャー１１５との間にはプランジャーバネ１０３が設けられ、プランジャーバネ１０３はプランジャー１１５を後退方向に付勢する。
【００５５】
ラッチストッパ１２１は、錠箱１７にストッパ軸９１（図１６参照）によって軸支されプランジャー１１５の移動の際に後端の丸凸部９３が当接して揺動する。ラッチストッパ１２１は、先端にスライダ規制片１３５を有する。スライダ規制片１３５は、スライダ支持枠１３１のスリット１０１を貫通し、内方に突出することによって、スライダ１２９の後退を規制可能とする。
【００５６】
てこ杆１２５は、中央部にボス１４７を有し、このボス１４７がてこ杆揺動軸１４９（図１６参照）によって錠箱１７に揺動自在に軸支されている。てこ杆１２５は、てこ一端１５１が、一端側起立ピン１５３によってプランジャー１１５に係合する。
【００５７】
ガイド杆１２７は、Ｌ型穴１５５を有する。ガイド杆１２７は、てこ杆１２５のてこ他端１４３にスライド長穴１４１を連結することで、プランジャー１１５の動きと逆向きに動く。ガイド杆１２７に形成されるＬ型穴１５５は、反転ラッチ１１７に設けられるラッチ揺動軸１５７に係合する。反転ラッチ１１７は、反転用軸１３３によって回転自在に支持される。この反転用軸１３３の位置は、Ｌ型穴１５５の上端よりも上方となる。つまり、ガイド杆１２７のスライド方向に沿う直線上からずれている。従って、ガイド杆１２７が前後スライドすることにより、ラッチ揺動軸１５７がＬ型穴１５５を移動し、この移動に伴って反転ラッチ１１７が揺動する。
【００５８】
次に、上記構成を有する開力軽減錠１１３の作用を説明する。
図１８（ａ）は開力軽減錠１１３の閉扉からの動き始め状態を表す正面図、（ｂ）は（ａ）の平断面図である。
閉扉状態において、操作部材３７が操作され、操作力出力片４５を介してプランジャー１１５が従動されると、ラッチ強制揺動部１１９が作動される。ラッチ強制揺動部１１９が作動されると、プランジャー１１５が反転ラッチ１１７に向かってスライドされる。ラッチストッパ１２１は、丸凸部９３がプランジャー１１５のカム状凸部１５９に押圧され、スライダ規制片１３５がスライダ１２９の後退を規制する。同時に、作動したラッチ強制揺動部１１９は、てこ杆１２５のてこ一端１５１がプランジャー１１５によって押圧され、てこ他端１４３がガイド杆１２７を引っ張る。ガイド杆１２７がてこ他端１４３によって後退され、反転ラッチ１１７が揺動開始位置となる。つまり、スライダ１２９は移動が規制され、ガイド杆１２７のみが後退する。
【００５９】
図１９（ａ）は穴縁部５９に反転ラッチ１１７が当たりこじり始められる状態の正面図、（ｂ）は（ａ）の平断面図である。
ガイド杆１２７が引っ張られると、ラッチストッパ１２１がスライダ１２９に係止することでスライド規制された反転ラッチ１１７は、ガイド杆１２７のＬ型穴１５５によってラッチ揺動軸１５７が引っ張られる。反転ラッチ１１７は、ラッチ揺動軸１５７が引っ張られることにより、反転用軸１３３を中心に揺動される。揺動する反転ラッチ１１７は、ストライク板２７の穴縁部５９を作用点６１でこじる。
【００６０】
図２０（ａ）はこじり開け完了状態の開力軽減錠１１３の正面図、（ｂ）は（ａ）の平断面図である。
こじりが終了すると、こじり開寸法Ｓが形成される。扉１３と枠１５との間に隙間が生じ、例えば室外方向に開扉する扉１３において、室内が負圧であっても、室内の負圧がなくなる。これにより、室内が負圧となって開動に大きな力が必要となっていた扉１３であっても、容易な開動が可能となる。
【００６１】
図２１（ａ）は開扉動作による反転ラッチ１１７の後退した開力軽減錠１１３の正面図、（ｂ）は（ａ）の平断面図である。
こじ開けが完了し、扉１３がさらに開かれると、反転ラッチ１１７は穴縁部５９に当たり、反力を受けて錠箱１７内へ後退する。この際、ラッチストッパ１２１は、スライダ１２９へのスライド規制を解除している。
これにより、反転ラッチ１１７をストライク板２７に干渉させずに開扉でき、すなわちストライク板２７には切欠部を廃止できる。
【００６２】
図２２（ａ）は開扉途中の開力軽減錠１１３の正面図、（ｂ）は（ａ）の平断面図である。
扉１３がストライク板２７から離脱すると、反転ラッチ１１７は、ラッチバネ８９によって再び突出される。
【００６３】
図２３（ａ）は開扉状態の開力軽減錠１１３の正面図、（ｂ）は（ａ）の平断面図である。
開扉状態において、操作部材３７から手が離され、プランジャー１１５が後退しても、てこ他端１４３によってガイド杆１２７が押圧され、反転ラッチ１１７の位置は変わらない。
【００６４】
図２４（ａ）は閉扉時に反転ラッチ１１７がストライク板２７に当たって反転している開力軽減錠１１３の正面図、（ｂ）は（ａ）の平断面図である。
開扉状態からの閉扉において、反転ラッチ１１７がストライク板２７に当たると、反転ラッチ１１７は、ラッチ揺動軸１５７がＬ型穴１５５を移動することで回転される。すなわち、反転ラッチ１１７が閉扉を妨げることはない。
【００６５】
図２５（ａ）は閉扉時に反転ラッチ１１７が後退途中の開力軽減錠１１３の正面図、（ｂ）は（ａ）の平断面図である。
さらに閉扉されると、反転ラッチ１１７は、錠箱１７の内方へ後退する。この際、スライダ１２９は、ラッチストッパ１２１による規制が解除される。反転ラッチ１１７は、ラッチバネ８９を圧縮しながらガイド杆１２７を押圧して後退する。ガイド杆１２７のＬ型穴１５５によってこじ開け前の姿勢に反転された反転ラッチ１１７が、スライダ１２９に支持されて後退する。扉１３が完全閉止されると、反転ラッチ１１７がラッチバネ８９によってストライク板２７に突出され、図１７に示した閉扉状態に戻る。
【００６６】
従って、本実施形態に係る開力軽減錠１１、開力軽減錠１１３によれば、従来、枠１５などの建物側躯体に設けなければならなかったこじ開け杆通過のための切欠部を廃止でき、扉及び枠１５などの建物側躯体の見栄えを損ねることがなく、さらにこの切欠部が無いことで防犯性を向上させることができる。また、切欠部が無いことから指挟み事故も防止できる。そして、反転ラッチ３１または反転ラッチ１１７がこじ開け機能を有するので、従来の専用のこじ開けラッチ（こし開け杆）も廃止でき、部品点数を削減し錠箱を小型化することが可能となる。
【００６７】
なお、上記の第１実施形態において、ラッチストッパ６７は、反転ラッチ３１のみを規制する反転ラッチ用のラッチストッパと、押上板６３のみを規制する押上板用のラッチストッパとの別部材で構成されてもよい。
【符号の説明】
【００６８】
１１，１１３…開力軽減錠
１３…扉
１５…建物側躯体（枠）
１７…錠箱
２７…ストライク板
３１，１１７…反転ラッチ
３７…操作部材
４７，１１５…プランジャー
５５…隣接斜面
５７，１１９…ラッチ強制揺動部
５９…穴縁部
６１…作用点
６３…押上板
６５…ラッチ受け
６７，１２１…ラッチストッパ
６９…支持枠
７１…ガイド突起
７３…押上傾斜面
７７…押上板用バネ
８３…ガイド片
８５…ガイドスリット
８７…受け先端面
８９…ラッチバネ
９３…丸凸部
９５…先端規制爪
９７…押上板保持片
１０１…スリット
１０３…プランジャーバネ
１０５…ガイド突条
１２３…リンク
１２５…てこ杆
１２７…ガイド杆
１２９…スライダ
１３１…スライダ支持枠
１３３…反転用軸
１３５…スライダ規制片
１４１…スライド長穴
１４３…てこ他端
１４９…てこ杆揺動軸
１５１…てこ一端
１５５…Ｌ型穴
１５７…ラッチ揺動軸
【図１】
0005844626.tif 000002
【図２】
0005844626.tif 000003
【図３】
0005844626.tif 000004
【図４】
0005844626.tif 000005
【図５】
0005844626.tif 000006
【図６】
0005844626.tif 000007
【図７】
0005844626.tif 000008
【図８】
0005844626.tif 000009
【図９】
0005844626.tif 000010
【図１０】
0005844626.tif 000011
【図１１】
0005844626.tif 000012
【図１２】
0005844626.tif 000013
【図１３】
0005844626.tif 000014
【図１４】
0005844626.tif 000015
【図１５】
0005844626.tif 000016
【図１６】
0005844626.tif 000017
【図１７】
0005844626.tif 000018
【図１８】
0005844626.tif 000019
【図１９】
0005844626.tif 000020
【図２０】
0005844626.tif 000021
【図２１】
0005844626.tif 000022
【図２２】
0005844626.tif 000023
【図２３】
0005844626.tif 000024
【図２４】
0005844626.tif 000025
【図２５】
0005844626.tif 000026